(57)【要約】方法およびシステムがデータベースを管理する。データを含む第１の装置が、前記データに関連するメタデータを含む第２の装置に結合される。第２の装置は、第１の装置から取り外され、メタデータが変更される。第２の装置は再び第１の装置に結合され、第２の装置の変更されたメタデータは第１の装置のデータを変更する。
2005531866.tif 000002
【特許請求の範囲】
【請求項１】
データを含む第１の装置を具備し、
前記第１の装置が第２の装置に結合され、
前記第２の装置が前記第１の装置のデータに関連するメタデータを含み、
前記第２の装置が前記第１の装置から取り外されるように適合されている、
電気システム。
【請求項２】
データがオーディオデータ及びビデオデータからなる群より選択される、請求項１に記載の電気システム。
【請求項３】
前記第１の装置がメタデータを含み、
前記第２の装置のメタデータと前記第１の装置のメタデータが同じメタデータである、
請求項１に記載の電気システム。
【請求項４】
前記第２の装置がメモリ、中央処理ユニット（ＣＰＵ）、ソフトウェア、入力装置、及び出力装置を具備する、請求項１に記載の電気システム。
【請求項５】
前記第２の装置が第３の装置とインタフェースで接続されるように適合され、
前記第２の装置が前記第３の装置とインタフェースで接続されるとき、前記第３の装置が前記第２の装置のメタデータを変更するため使用されるように適合されている、
請求項１に記載の電気システム。
【請求項６】
前記第３の装置がコンピュータ、携帯情報端末（ＰＤＡ）、電子手帳、及び携帯電話機からなる群より選択される、請求項５に記載の電気システム。
【請求項７】
変更されたメタデータは、前記データを変更するように適合されている、請求項５に記載の電気システム。
【請求項８】
前記第２の装置がコンパクトフラッシュカード、メモリスティック、セキュアデジタルメモリカード、マルチメディアメモリカード、及びコンピュータディスクよりなる群から選択される、請求項１に記載の電気システム。
【請求項９】
前記第１の装置がパーソナル・ビデオ・レコーダのセットトップボックスである、請求項１に記載の電気システム。
【請求項１０】
前記第２の装置が前記第１の装置に結合されないとき、前記メタデータが前記第２の装置上で変更されるように適合されている、請求項１に記載の電気システム。
【請求項１１】
第１の装置に結合された第２の装置を具備し、
前記第１の装置がデータを含み、
前記第２の装置が前記第１の装置のデータに関連するメタデータを含み、
前記第１の装置がメタデータを含まず、
前記第２の装置が前記第１の装置から取り外されるように適合されている、
電気システム。
【請求項１２】
データがオーディオデータ及びビデオデータからなる群より選択される、請求項１１に記載の電気システム。
【請求項１３】
前記第１の装置がメタデータを含み、
前記第２の装置のメタデータと前記第１の装置のメタデータが同じメタデータである、
請求項１１に記載の電気システム。
【請求項１４】
前記第２の装置がメモリ、中央処理ユニット（ＣＰＵ）、ソフトウェア、入力装置、及び出力装置を具備する、請求項１１に記載の電気システム。
【請求項１５】
前記第２の装置が第３の装置とインタフェースで接続されるように適合され、
前記第２の装置が前記第３の装置とインタフェースで接続されるとき、前記第３の装置が前記第２の装置のメタデータを変更するために使用されるように適合されている、
請求項１１に記載の電気システム。
【請求項１６】
前記第３の装置がコンピュータ、携帯情報端末（ＰＤＡ）、電子手帳、及び携帯電話機からなる群より選択される、請求項１５に記載の電気システム。
【請求項１７】
変更されたメタデータは、前記データを変更するように適合されている、請求項１５に記載の電気システム。
【請求項１８】
前記第２の装置がコンパクトフラッシュカード、メモリスティック、セキュアデジタルメモリカード、マルチメディアメモリカード、及びコンピュータディスクよりなる群から選択される、請求項１１に記載の電気システム。
【請求項１９】
前記第１の装置がパーソナル・ビデオ・レコーダのセットトップボックスである、請求項１１に記載の電気システム。
【請求項２０】
前記第２の装置が前記第１の装置に結合されないとき、前記メタデータが前記第２の装置上で変更されるように適合されている、請求項１１に記載の電気システム。
【請求項２１】
第１の装置がデータ及びデータに関連するメタデータを含み、第２の装置が前記メタデータを含み、前記第２の装置が第３の装置に結合されるように適合され、前記第２の装置に結合された前記第１の装置を準備し、
前記第１の装置から前記第２の装置を取り外し、前記第２の装置を前記第１の装置に結合されていない前記第３の装置に結合し、
前記第３の装置を使用して前記第２の装置のメタデータを変更し、
前記第３の装置から前記第２の装置を取り外し、前記第２の装置を前記第１の装置に結合し、
前記第２の装置の変更されたメタデータで前記第１の装置のメタデータを更新する、
データベースを管理する方法。
【請求項２２】
前記第１の装置の更新されたメタデータを使用して、前記第１の装置のデータに特定操作を実行する、請求項２１に記載の方法。
【請求項２３】
前記データがオーディオデータ及びビデオデータからなる群より選択される、請求項２１に記載の方法。
【請求項２４】
前記第３の装置がコンピュータ、携帯情報端末（ＰＤＡ）、電子手帳、及び携帯電話機からなる群より選択される、請求項２１に記載の方法。
【請求項２５】
前記第２の装置がコンパクトフラッシュカード、メモリスティック、セキュアデジタルメモリカード、マルチメディアメモリカード、及びコンピュータディスクよりなる群から選択される、請求項２１に記載の方法。
【請求項２６】
前記第１の装置がパーソナル・ビデオ・レコーダのセットトップボックスである、請求項２１に記載の方法。
【請求項２７】
第１の装置がデータを含み、前記第１の装置が第２の装置に結合され、前記第２の装置が前記第１の装置のデータに関連するメタデータを含み、前記第１の装置が前記メタデータを含まず、前記第２の装置が第３の装置に結合されるように適合され、前記第１の装置を準備し、
前記第１の装置から前記第２の装置を取り外し、前記第２の装置を前記第１の装置に結合されていない前記第３の装置に結合し、
前記第３の装置を使用して、前記第２の装置のメタデータを変更し、
前記第３の装置から前記第２の装置を取り外し、前記第２の装置を前記第１の装置に結合する、
データベースを管理する方法。
【請求項２８】
前記第１の装置の更新されたメタデータを使用して、前記第１の装置のデータに特定操作を実行する、請求項２７に記載の方法。
【請求項２９】
前記データがオーディオデータ及びビデオデータからなる群より選択される、請求項２７に記載の方法。
【請求項３０】
前記第３の装置がコンピュータ、携帯情報端末（ＰＤＡ）、電子手帳、及び携帯電話機からなる群より選択される、請求項２７に記載の方法。
【請求項３１】
前記第２の装置がコンパクトフラッシュカード、メモリスティック、セキュアデジタルメモリカード、マルチメディアメモリカード、及びコンピュータディスクよりなる群から選択される、請求項２７に記載の方法。
【請求項３２】
前記第１の装置がパーソナル・ビデオ・レコーダのセットトップボックスである、請求項２７に記載の方法。
【請求項３３】
第１の装置がデータ及び前記データに関連するメタデータを含み、第２の装置が前記メタデータを含み、前記第２の装置が記憶装置、中央処理ユニット（ＣＰＵ）、命令セット、入力装置及び出力装置を具備し、前記第２の装置に結合された前記第１の装置を準備し、
前記第１の装置から前記第２の装置を取り外し、
前記第２の装置のメタデータを変更し、
前記第２の装置を前記第１の装置に結合し、
前記第２の装置の変更されたメタデータで前記第１の装置のメタデータを更新する、
データベースを管理する方法。
【請求項３４】
前記第１の装置の更新されたメタデータを使用して、前記第１の装置のデータに特定操作を実行する、請求項３３に記載の方法。
【請求項３５】
第１の装置がデータ及び前記データに関連するメタデータを含み、第２の装置が前記メタデータを含み、前記第２の装置が記憶装置、中央処理ユニット（ＣＰＵ）、命令セット、入力装置、及び出力装置を具備し、前記第２の装置に結合された前記第１の装置を準備し、
前記第１の装置から前記第２の装置を取り外し、
前記第２の装置のメタデータを変更し、
前記第２の装置の変更されたメタデータで前記第１の装置のメタデータを更新する、
データベースを管理する方法。
【請求項３６】
前記第２の装置が前記第１の装置へのワイヤレスリンクを具備する、請求項３５に記載の方法。
【請求項３７】
前記第１の装置の更新されたメタデータを使用して、前記第１の装置のデータに特定操作を実行する、請求項３５に記載の方法。
【発明の詳細な説明】
【技術分野】
【０００１】
本発明は、データベースを管理するシステム及び関連した方法に関係する。
【背景技術】
【０００２】
データベースは、典型的に、同じ装置上でデータ及びデータのためのメタデータを包含する。データベースを管理するため、ユーザはデータ及びメタデータを含む装置上で直接的に管理機能を実行する必要がある。これらの装置は、典型的に、複雑な管理機能を実行するための支援が不得手である。
【発明の開示】
【発明が解決しようとする課題】
【０００３】
したがって、データベースを管理するための簡易化されたシステム及び方法が必要とされる。
【課題を解決するための手段】
【０００４】
本発明は、データを含む第１の装置を具備し、第１の装置が第２の装置に結合され、第２の装置が第１の装置のデータに関連するメタデータを含み、第２の装置が第１の装置から取り外されるように適合されている、電気システムを提供する。
【０００５】
本発明は、第１の装置に結合された第２の装置を具備し、第１の装置がデータを含み、第２の装置が第１の装置のデータに関連するメタデータを含み、第１の装置がメタデータを含まず、第２の装置が第１の装置から取り外されるように適合されている、電気システムを提供する。
【０００６】
本発明は、第１の装置がデータ及びデータに関連するメタデータを含み、第２の装置がメタデータを含み、第２の装置が第３の装置に結合されるように適合され、第２の装置に結合された第１の装置を準備し、
第１の装置から第２の装置を取り外し、第２の装置を第１の装置に結合されていない第３の装置に結合し、
第３の装置を使用して第２の装置のメタデータを変更し、
第３の装置から第２の装置を取り外し、第２の装置を第１の装置に結合し、
第２の装置の変更されたメタデータで第１の装置のメタデータを更新する、
データベースを管理する方法を提供する。
【０００７】
本発明は、データを含む第１の装置が第２の装置に結合され、第２の装置が第１の装置のデータに関連するメタデータを含み、第１の装置がメタデータを含まず、第２の装置が第３の装置に結合されるように適合され、第１の装置を準備し、
第１の装置から第２の装置を取り外し、第２の装置を第１の装置に結合されていない第３の装置に結合し、
第３の装置を使用して、第２の装置のメタデータを変更し、
第３の装置から第２の装置を取り外し、第２の装置を第１の装置に結合する、
データベースを管理する方法を提供する。
【０００８】
本発明は、第１の装置がデータ及びデータに関連するメタデータを含み、第２の装置がメタデータを含み、第２の装置が記憶装置、ＣＰＵ、命令セット、入力装置及び出力装置を具備し、第２の装置に結合された第１の装置を準備し、
第１の装置から第２の装置を取り外し、
第２の装置のメタデータを変更し、
第２の装置を第１の装置に結合し、
第２の装置の変更されたメタデータで第１の装置のメタデータを更新する、
データベースを管理する方法を提供する。
【０００９】
本発明は、第１の装置がデータ及びデータに関連するメタデータを含み、第２の装置がメタデータを含み、第２の装置が記憶装置、ＣＰＵ、命令セット、入力装置及び出力装置を具備し、第２の装置に結合された第１の装置を準備し、
第１の装置から第２の装置を取り外し、
第２の装置のメタデータを変更し、
第２の装置の変更されたメタデータで第１の装置のメタデータを更新する、
データベースを管理する方法を提供する。
【発明を実施するための最良の形態】
【００１０】
図１は、本発明の実施形態による電子システム１のブロック図であり、電子システム１は第２の装置４に結合された第１の装置５を具備し、第２の装置４は第１の装置５から取り外されるように適合されている。第１の装置５はメモリを含む。第２の装置４はメモリを含む。電子システム１は、パーソナル・ビデオ・レコーダ（ＰＶＲ）のセットトップボックス（ＳＴＢ）でもよい。電子システム１は、中央処理ユニット（ＣＰＵ）１０、入力装置１９、出力装置１８、及びソフトウェア（すなわち、命令セット又は実行可能コード）を備えた制御装置３５を有する。制御装置３５は、第１の装置５のデータ保存及びデータ検索を制御する。入力装置１９は、キーパッド、キーボード、マウスなどのような当業者に知られたどのような入力装置でもよい。出力装置１８は、モニタ、プリンタ、液晶ディスプレイ（ＬＣＤ）などのような当業者に知られたどのような出力装置でもよい。第１の装置５は、第１の装置５のメモリに格納された大量の（すなわち、１０ギガバイトを超える）データを含む。第１の装置５のデータは、ビデオデータ、オーディオデータ、テキストデータ又はこれらの組み合わせである。ビデオデータはデジタルビデオ又はデジタルピクチャでもよい。第１の装置５は、また、データに関連するメタデータを含む。メタデータは、データに関するディレクトリ構造、内容のテーブル、アクセス制御、及び、内容の概要により構成される。第１の装置５のメタデータのコピーは第２の装置４のメモリに格納される。或いは、第１の装置５はデータだけを格納し（メタデータを格納しない）、第２の装置４はメタデータを格納する。第２の装置４はリムーバブルメモリを含む。第２の装置４は、コンパクトフラッシュ（登録商標）カード、メモリスティック、セキュアデジタルメモリカード、マルチメディアメモリカード、コンピュータディスクなどを具備する。第２の装置４は、電子システム１から取り外され、別の場所（たとえば、リモートロケーション）にある（たとえば、図２に示されるような）第３の装置８に結合されるので、第２の装置４のメタデータは第３の装置８を使用することによって変更される。第３の装置８は、ＣＰＵ１１、入力装置１６、出力装置１５及びソフトウェア（すなわち、命令セット又は実行可能コード）を含む。第３の装置８は、コンピュータ、携帯電話機、又は、携帯情報端末（ＰＤＡ）でもよい。第２の装置４は、約８メガバイト乃至約５１２メガバイトの範囲の記憶容量を有する。第３の装置８は、第２の装置４のメタデータの変更を実行するハードウェア（たとえば、ＣＰＵ）及びソフトウェアを提供する。メタデータは、データに特定の操作（すなわち、データベース再編成、データ更新、ファイル編集又はファイル削除）が実行されるように変更される。メタデータが第２の装置４で変更された後、第２の装置４は、第３の装置８から取り外され、電子システム１の第１の装置５に結合される。変更されたメタデータは、次に、第１の装置５に格納されたデータに操作を実行する。或いは、メタデータは、未来の特定の時点又は複数の時点でデータに操作を実行するように変更される。
【００１１】
図２は、本発明の実施形態により、第２の装置４が電子システム１の第１の装置５から取り外された後の図１のブロック図を示す。第２の装置４は、次に、第３の装置８に結合されるので、メタデータは図１に関して既に説明したように変更される。メタデータが変更された後、第２の装置４は、第３の装置８から取り外され、（図１に示されるように）第１の装置５に結合され、第１の装置５のデータに関する操作が実行される。
【００１２】
図３は、本発明の実施形態により、第１の装置５が第２の装置１２に結合され、第２の装置１２が第１の装置５から取り外されるように適合された電子システム１のブロック図を例示する。第１の装置５はメモリを含む。第２の装置１２は、中央処理ユニット（ＣＰＵ）１１と、ソフトウェア（すなわち、命令セット又は実行可能コード）と、メモリと、入力装置１６と、出力装置１５とを具備する。電子システム１は、パーソナル・ビデオ・レコーダ（ＰＶＲ）のセットトップボックス（ＳＴＢ）でもよい。電子システム１は、ＣＰＵ１０、入力装置１９、出力装置１８、及びソフトウェア（すなわち、命令セット又は実行可能コード）を具備した制御装置３５を有する。制御装置３５は第１の装置５のデータ保存及びデータ検索を制御する。入力装置１６及び入力装置１９は、キーパッド、キーボード、マウスなどのような当業者に知られたどのような入力装置でもよい。出力装置１５及び出力装置１８は、モニタ、液晶ディスプレイ（ＬＣＤ）、プリンタなどのような当業者に知られたどのような出力装置でもよい。第１の装置５は、第１の装置５のメモリに格納された（たとえば、１０ギガバイトを超える）大量のデータを含む。第１の装置５のデータは、ビデオデータ、オーディオデータ、テキストデータ、又は、それらのどのような組み合わせでもよい。ビデオデータはデジタルビデオ又はデジタルピクチャでもよい。第１の装置５は、データに関連するメタデータを含む。メタデータは、データに関するディレクトリ構造、内容のテーブル、アクセス制御、及び、内容の概要により構成される。第１の装置５のメタデータのコピーは第２の装置１２のメモリに格納される。或いは、第１の装置５はデータだけを格納し（メタデータを格納しない）、第２の装置１２はメタデータを格納する。第２の装置１２は、コンパクトフラッシュカード、メモリスティック、セキュアデジタルメモリカード、マルチメディアメモリカード、コンピュータディスクなどを具備する。第２の装置１２は、電子システム１から取り外され、別の場所（たとえば、リモートロケーション）へ取り付けられて、第２の装置１２のメタデータが変更されてもよい。メタデータは、データに特定の操作（すなわち、データベース再編成、データ更新、ファイル編集又はファイル削除）が実行されるように変更される。メタデータが第２の装置１２で変更された後、第２の装置１２は電子システム１の第１の装置５に結合される。変更されたメタデータは、次に、第１の装置５に格納されたデータに操作を実行する。或いは、メタデータは、未来の特定の時点又は複数の時点でデータに操作を実行するように変更される。第２の装置１２は約８メガバイト乃至約５１２メガバイトの範囲の記憶容量を有する。
【００１３】
図４は、本発明の実施形態により、第２の装置１２が電子システム１の第１の装置５から取り外された後の図３のブロック図を示す。第２の装置１２は電子システム１から取り外され、メタデータは図３に関して既に説明したように変更される。メタデータが変更された後、第２の装置１２は、（図３に示されるように）第１の装置５に結合されるので、第１の装置５のデータに関する操作が実行される。或いは、第２の装置１２は第１の装置５へのワイヤレスリンクを具備し、その結果、第２の装置１２は、第１の装置５のデータに対する操作を実行するため第１の装置５に結合する必要がない。
【００１４】
本発明の実施形態が例示の目的のため記載されているが、多数の変更及び変形が当業者に明白であろう。したがって、特許請求の範囲の請求項は、本発明の真の精神及び権利範囲に含まれるこのような変更及び変形のすべてを包含することが意図されている。
【図面の簡単な説明】
【００１５】
【図１】固定記憶装置に結合されたリムーバブル記憶装置と記憶装置のないリモート装置とを表す本発明の実施形態による電子システムのブロック図である。
【図２】固定記憶装置とリモート装置に結合されたリムーバブル記憶装置とを備えた本発明の実施形態による電子システムのブロック図である。
【図３】固定記憶装置に結合され中央処理ユニット（ＣＰＵ）及び入力／出力（Ｉ／Ｏ）が組み込まれたリムーバブル記憶装置を表す本発明の実施形態による電子システムのブロック図である。
【図４】本発明の実施形態によるＣＰＵ及びＩ／Ｏが組み込まれたリムーバブル記憶装置のブロック図である。
【図１】
2005531866.tif 000003
【図２】
2005531866.tif 000004
【図３】
2005531866.tif 000005
【図４】
2005531866.tif 000006
【国際調査報告】
2005531866.tif 000007
2005531866.tif 000008
2005531866.tif 000009